(57)【要約】【課題】外装部材の外観の自由度を高めつつ、ボタンをケースと外装部材とに容易に組付けることが可能な携帯型電子機器を実現する。【解決手段】携帯型電子機器の一例としてのリスト機器１は、電子部品を収容する収容部と、側面に設けられた第１貫通孔１５と、を含むケース５と、ケース５の外周に配置され、側面に設けられた第２貫通孔１７を含む外装部材６と、第１貫通孔１５と前記第２貫通孔１７とに亘って配置された軸２０と、軸２０の第２貫通孔１７側の端部に配置された操作体１９と、を含むボタン４と、軸２０の径方向においてケース５と対向する第１規制部２６と、第２貫通孔１７において外装部材６と対向する第２規制部２７と、第１貫通孔１５または第２貫通孔１７において軸２０と対向する軸案内部２８と、を含む座金１１と、を含む。【選択図】図４
2019120598.tif 000002
【特許請求の範囲】
【請求項１】
電子部品を収容する収容部と、側面に設けられた第１貫通孔と、を含むケースと、
前記ケースの外周に配置され、側面に設けられた第２貫通孔を含む外装部材と、
前記第１貫通孔と前記第２貫通孔とに亘って配置された軸と、前記軸の前記第２貫通孔側の端部に配置された操作体と、を含むボタンと、
前記軸の径方向において前記ケースと対向する第１規制部と、前記軸の径方向において前記外装部材と対向する第２規制部と、前記第１貫通孔または前記第２貫通孔において前記軸と対向する軸案内部と、を含む座金と、
を含む、携帯型電子機器。
【請求項２】
請求項１に記載の携帯型電子機器において、
前記ボタンの前記操作体側に配置され、前記軸を囲むコイルスプリングと、
前記ケースの前記収容部に配置され、前記軸の前記操作体とは反対側の先端部に固定された止め輪と、
前記第１貫通孔において前記ケースと前記軸との間に配置されたパッキンと、を含み、
前記座金は、
前記軸の延在方向において前記パッキンと対向する第１面と、
前記軸の延在方向において前記コイルスプリングと対向する第２面と、
を有する、携帯型電子機器。
【請求項３】
請求項２に記載の携帯型電子機器において、
前記座金は、
前記第２面を有する基部と、
前記基部から前記先端部側に向かって前記軸の延在方向に延在し、前記第１規制部と前記軸案内部と前記第１面とを有する第１部分と、
前記基部から前記操作体側に向かって前記軸の延在方向に延在し、前記第２規制部を有する第２部分と、
を含む、携帯型電子機器。
【請求項４】
請求項２に記載の携帯型電子機器において、
前記座金は、
前記第２面を有する基部と、
前記基部から前記先端部側に向かって前記軸の延在方向に延在し、前記軸案内部と前記第１面とを有する第１部分と、
前記基部から前記操作体側に向かって前記軸の延在方向に延在し、前記第２規制部を有する第２部分と、
前記基部における前記第１部分よりも前記軸の径方向外側の位置から前記先端部側に向かって前記軸の延在方向に延在し、前記第１規制部を有する第３部分と、
を含む、携帯型電子機器。
【請求項５】
請求項１から４のいずれか一項に記載の携帯型電子機器において、
前記外装部材は、前記ケースに対してねじまたは接着剤で固定されている、携帯型電子機器。
【発明の詳細な説明】
【技術分野】
【０００１】
本発明は、携帯型電子機器に関する。
【背景技術】
【０００２】
携帯型電子機器は、様々な趣向を持ったユーザーのニーズに対応できるよう、製品外観の変更自由度が高いことが求められる。一方、製品外観を変更する度に構造を設計し直すことは、品質の安定性やコストの観点でデメリットとなる。そこで、電子部品を収納するためのケースと意匠性を有する外装部材とを別体とし、ケースの外側に外装部材をかぶせる構造の携帯型電子機器が提案されている（例えば、特許文献１参照）。特許文献１に記載の構造によれば、ケースと外装部材との組み合わせにより様々な外観の製品が実現できるとしている。
【先行技術文献】
【特許文献】
【０００３】
【特許文献１】特開２００５−２１４６２９号公報
【発明の概要】
【発明が解決しようとする課題】
【０００４】
しかしながら、特許文献１に記載の構造では、ボタンや竜頭等が既に組付けられたケースに外装部材をかぶせる構造としているため、組付け時に外装部材がボタンや竜頭等の突出部と干渉しないよう、外装部材のそれらの突出部に対応する位置に開口を設ける必要が有り、外装部材の外観の自由度を低下させるおそれがあった。
【０００５】
これに対して、ケースに外装部材を組付けた後にボタンや竜頭等を組付ける構造が考えられるが、部品自体の寸法や組付け時に生じるばらつきによってボタンの組付けに支障が生じる場合がある。それを解消するために部品間の隙間を大きく設けると、それらの隙間によって外観の意匠性が損なわれるおそれがあるという課題がある。
【課題を解決するための手段】
【０００６】
本発明は、上記課題の少なくとも一部を解決する為になされたものであり、以下の形態又は適用例として実現することが可能である。
【０００７】
［適用例１］本適用例に係る携帯型電子機器は、電子部品を収容する収容部と、側面に設けられた第１貫通孔と、を含むケースと、前記ケースの外周に配置され、側面に設けられた第２貫通孔を含む外装部材と、前記第１貫通孔と前記第２貫通孔とに亘って配置された軸と、前記軸の前記第２貫通孔側の端部に配置された操作体と、を含むボタンと、前記軸の径方向において前記ケースと対向する第１規制部と、前記軸の径方向において前記外装部材と対向する第２規制部と、前記第１貫通孔または前記第２貫通孔において前記軸と対向する軸案内部と、を含む座金と、を含む。
【０００８】
本適用例によれば、第１規制部と第２規制部とを有する座金を介して、第１貫通孔を有するケースと第２貫通孔を有する外装部材との相対的な位置関係を規制することができる。そして、座金の軸案内部により軸が所定の位置に案内されることで、部品間の隙間を大きく設けなくても支障なくボタンをケースと外装部材とに亘って組付けることができる。従って、ケースと外装部材との組み合わせにより外観の自由度を高めつつ、ボタンをケースと外装部材とに容易に組付けることが可能な携帯型電子機器が実現できる。
【０００９】
［適用例２］上記適用例に記載の携帯型電子機器において、前記ボタンの前記操作体側に配置され前記軸を囲むコイルスプリングと、前記ケースの前記収容部に配置され、前記軸の前記操作体とは反対側の先端部に固定された止め輪と、前記第１貫通孔において前記ケースと前記軸との間に配置されたパッキンと、を含み、前記座金は、前記軸の延在方向において前記パッキンと対向する第１面と、前記軸の延在方向において前記コイルスプリングと対向する第２面と、を有することが好ましい。
【００１０】
本適用例によれば、ケースの内部で軸の先端部に固定された止め輪によって、ケースおよび外装部材からのボタンの抜けや脱落を防止することができる。また、第１貫通孔に配置されたパッキンによって、ケースと軸との間の防水性を確保できる。そして、第１面によってパッキンを受けている座金を、第２面と操作体との間に配置されたコイルスプリングのばね力によってケースに押し当てるので、座金を介してボタンの軸からのパッキンの脱落を防止することができる。従って、防水性のあるボタン構造を有する携帯型電子機器が実現できる。
【００１１】
［適用例３］上記適用例に記載の携帯型電子機器において、前記座金は、前記第２面を有する基部と、前記基部から前記先端部側に向かって前記軸の延在方向に延在し、前記第１規制部と前記軸案内部と前記第１面とを有する第１部分と、前記基部から前記操作体側に向かって前記軸の延在方向に延在し、前記第２規制部を有する第２部分と、を含んでいてもよい。
【００１２】
本適用例によれば、第１規制部を有する第１部分によって第１貫通孔を有するケースを規制し、第２規制部を有する第２部分によって第２貫通孔を有する外装部材を規制するので、座金を介してケースと外装部材との相対的な位置関係を規制することができる。その上で、軸案内部を有する第１部分によって軸が所定の位置に案内されることで、部品間の隙間を大きく設けなくても支障なくボタンを組付けることができる。従って、外装部材の外観の自由度を高めつつ、ボタンをケースと外装部材とに容易に組付けることが可能な携帯型電子機器が実現できる。
【００１３】
［適用例４］上記適用例に記載の携帯型電子機器において、前記座金は、前記第２面を有する基部と、前記基部から前記先端部側に向かって前記軸の延在方向に延在し、前記軸案内部と前記第１面とを有する第１部分と、前記基部から前記操作体側に向かって前記軸の延在方向に延在し、前記第２規制部を有する第２部分と、前記基部における前記第１部分よりも前記軸の径方向外側の位置から前記先端部側に向かって前記軸の延在方向に延在し、前記第１規制部を有する第３部分と、を含んでいてもよい。
【００１４】
本適用例によれば、第１規制部を有する第３部分によって第１貫通孔を有するケースを規制し、第２規制部を有する第２部分によって第２貫通孔を有する外装部材を規制するので、座金を介してケースと外装部材との相対的な位置関係を規制することができる。その上で、軸案内部を有する第１部分によって軸が所定の位置に案内されることで、部品間の隙間を大きく設けなくても支障なくボタンを組付けることができる。従って、外装部材の外観の自由度を高めつつ、ボタンをケースと外装部材とに容易に組付けることが可能な携帯型電子機器が実現できる。
【００１５】
［適用例５］上記適用例に記載の携帯型電子機器において、前記外装部材は、前記ケースに対してねじまたは接着剤で固定されていることが好ましい。
【００１６】
本適用例によれば、ねじまたは接着剤を介して外装部材をケースに確実に固定することができる。
【図面の簡単な説明】
【００１７】
【図１】本発明の実施形態に係る携帯型電子機器の一例としてのリスト機器の正面図。
【図２】本実施形態に係るリスト機器の展開図。
【図３】本実施形態に係るリスト機器のボタン軸貫通面における断面図。
【図４】本実施形態に係るリスト機器のボタン構造部における断面図。
【図５】変形例１の座金を用いた場合の、ボタン構造部における断面図。
【図６】変形例２の座金を用いた場合の、ボタン構造部における断面図。
【図７】変形例３の座金を用いた場合の、ボタン構造部における断面図。
【図８】変形例４の座金を用いた場合の、ボタン構造部における断面図。
【図９】変形例５の座金を用いた場合の、ボタン構造部における断面図。
【図１０】変形例６の座金を用いた場合の、ボタン構造部における断面図。
【発明を実施するための形態】
【００１８】
以下、本発明の実施形態について説明する。なお、以下で説明する実施形態は、特許請求の範囲に記載された本発明の内容を不当に限定するものではない。また、本実施形態で説明される構成のすべてが、本発明の必須構成要件であるとは限らない。
【００１９】
また、本発明では、本発明による携帯型電子機器のケース側を内側、ケースとは反対側の外装部材側を外側として説明することがある。また、以降の説明における実施例に係る携帯型電子機器は、ランナーズウォッチ、デュアスロンやトライアスロン等マルチスポーツ対応のランナーズウォッチ、および衛星測位システム、例えばＧＰＳを搭載したＧＰＳウォッチ、等に広く適用できる。
【００２０】
先ず、図１を参照して、本発明の実施形態に係る携帯型（ウェアラブル型）電子機器の一例としてのリスト機器の概要について説明する。図１は、本発明の実施形態に係る携帯型電子機器の一例としてのリスト機器の正面図である。図１に示すように、実施形態に係るリスト機器１は、ユーザー（装着者）の所与の部位（例えば、手首）に装着され、ユーザーの位置情報や運動情報等を検出することができる。
【００２１】
リスト機器１は、ユーザーに装着されて位置情報や運動情報等を検出する機器本体２と、機器本体２に取り付けられ機器本体をユーザーに装着するためのバンド３（第１のバンド３ａおよび第２のバンド３ｂ）と、を有する。機器本体２には、側部に複数のボタン４が設けられている。なお、リスト機器１には、ユーザーの位置情報や運動情報に加えて、例えば脈波情報などの生体情報を検出する機能や時刻情報等を取得する機能を設けることができる。
【００２２】
次に、図２および図３を参照して、本実施形態に係るリスト機器１の外装構造について説明する。図２は、本実施形態に係るリスト機器の展開図である。図３は、本実施形態に係るリスト機器のボタン軸貫通面における断面図である。詳しくは、図３は、リスト機器１を、ケース５および外装部材６を貫通する各ボタン４の軸２０の軸中心２０Ｃ（図４参照）を通る平面で切断した平断面図である。図２および図３に示すように、機器本体２は、ケース５と、外装部材６と、リング７と、ガラスパッキン８と、ガラス９と、ボタン４と、コイルスプリング１０と、座金１１と、パッキン１２と、止め輪１３と、ねじ１４とを有している。
【００２３】
ケース５は、ユーザーの装着時にユーザーと接する底部と、底部からユーザーが視認する面に向かって設けられ側面を有する側壁とから構成され、内側に設けられた収容部５Ｃに電子部品を収納し、側面に設けられたボタン４用の第１貫通孔１５とねじ１４用の下穴１６とを有する。また、ケース５には、他の部材との位置決めのための凸部や凹部が設けられていても良い。ケース５の材料としては、例えば金属やプラスチック等を用いることができる。
【００２４】
外装部材６は、側面に設けられたボタン４用の第２貫通孔１７と、第１のバンド３ａおよび第２のバンド３ｂを固定するためのカン１８とを有している。外装部材６は意匠性を有する部品であり、ケース５の外周（側壁）に沿って配置される。外装部材６の材料としては、例えば金属やプラスチック等を用いることができる。リング７とガラスパッキン８とガラス９とは、電子部品を収納したケース５を密閉するための部材である。
【００２５】
ボタン４は、機器本体２が有する各種機能を操作するためのものであり、操作体１９と軸２０とを有する。軸２０は、略円柱形状の細長い部材である。軸２０は、ケース５の第１貫通孔１５と外装部材６の第２貫通孔１７とに亘って配置される。操作体１９は、軸２０の延在方向（軸方向）における第２貫通孔１７側（即ち、外装部材６側）の端部に配置されている。操作体１９は、ユーザーがリスト機器１を操作する際に触れる部分である。操作体１９の径は、軸２０の径よりも大きい。操作体１９の材料としては、例えば金属やプラスチック等を用いることができる。軸２０の材料としては、例えば金属を用いることができる。
【００２６】
座金１１は、ケース５の第１貫通孔１５と外装部材６の第２貫通孔１７とに亘って配置される。なお、座金１１の構成および役割については後で詳述する。座金１１の材料としては、例えば金属やプラスチック等を用いることができる。コイルスプリング１０は、座金１１よりもボタン４の操作体１９側に、ボタン４の軸２０を囲んで配置される。言い替えると、ボタン４の軸２０はコイルスプリング１０の内側に設けられている。コイルスプリング１０は、座金１１をケース５へ押し当てるための部材である。また、コイルスプリング１０が座金１１をケース５へ押し当てる力の方向は、ボタン４の軸２０の延在方向と略同じである。コイルスプリング１０は、ユーザーがボタン４を収容部５Ｃ側へ押し込む操作をした際に、ボタン４を元の位置に戻す機能も有する。
【００２７】
パッキン１２は、座金１１よりもケース５の収容部５Ｃ側に配置されている。パッキン１２は、ケース５と軸２０との間の防水性を確保するための部材である。止め輪１３は、ケース５の内部でボタン４の軸２０の操作体１９とは反対側の端部（以下では先端部と称する）に固定される。止め輪１３は、ケース５および外装部材６からのボタン４の抜けや脱落を防止するための部材である。ねじ１４は、ケース５に設けられた下穴１６に取り付けられ、ケース５に対して外装部材６を固定する。なお、ねじ１４の代わりに接着剤を用いてケース５と外装部材６とを固定しても良い。
【００２８】
機器本体２を組み立てる際は、収容部５Ｃに電子部品を収納したケース５に外装部材６をかぶせ、ボタン４や座金１１等を組付ける。具体的には、ボタン４の軸２０をコイルスプリング１０、座金１１、パッキン１２に通して外装部材６の第２貫通孔１７およびケース５の第１貫通孔１５に挿入し、ケース５の収容部５Ｃ内で軸２０の操作体１９とは反対側の先端部に止め輪１３を固定する。そして、ねじ１４でケース５に対して外装部材６を固定して、リング７とガラスパッキン８とをケース５へ組付けて、ガラス９を圧入する。リスト機器１はケース５と外装部材６とを有しているため、ケース５と外装部材６との組み合わせにより様々な外観の製品が実現できる。
【００２９】
次に、図４を参照して、本実施形態に係るリスト機器のボタン構造および座金について説明する。図４は、本実施形態に係るリスト機器１のボタン構造部における断面図である。詳しくは、図４は、リスト機器１の機器本体２のボタン構造部（ケース５、外装部材６、ボタン４、コイルスプリング１０、座金１１、パッキン１２、止め輪１３を含む部分）を、ボタン４の軸２０の径方向の中心である軸中心２０Ｃに沿って、図２に示す平断面と交差する平面で切断した側断面図である。
【００３０】
なお、以下の説明では、ボタン４の軸２０の延在方向（図４における左右方向）を軸方向とも称する。そして、ボタン４の軸２０の軸中心２０Ｃと交差する方向（図４における上下方向）を径方向とも称する。また、径方向において、軸中心２０Ｃに近付く側を径方向内側とも称し、軸中心２０Ｃから離れる側を径方向外側とも称する。
【００３１】
図４に示すように、リスト機器１の機器本体２は、ボタン構造部に軸２０と操作体１９とを有するボタン４と、コイルスプリング１０と、座金１１と、パッキン１２と、止め輪１３とを備えている。これらの構成部品は、外装部材６およびケース５に対して、外側から収容部５Ｃ側に向かって上記の順番で組みつけられている。ケース５の第１貫通孔１５の内径は、外装部材６の第２貫通孔１７の内径よりも小さい。したがって、ケース５の第１貫通孔１５の内面は、外装部材６の第２貫通孔１７の内面よりも、径方向内側に位置している。
【００３２】
座金１１は、基部２１と第１部分２２と第２部分２３とを有している。基部２１は、軸方向と交差する円板状の部分である。基部２１は、軸方向においてコイルスプリング１０と対向する第２面２５を有している。第２部分２３は、基部２１から軸方向に沿って操作体１９側に向かって延在する円筒状の部分である。第２部分２３は、外装部材６の第２貫通孔１７内に配置される。第２部分２３は、径方向において外装部材６と対向する第２規制部２７を有する。換言すると、第２部分２３は外装部材６とコイルスプリング１０との間に配置されている。なお、対向するとは、部材同士が直接接する場合や、空気層を部材間に挟んで向かい合っている状態を示す。
【００３３】
第１部分２２は、基部２１から軸方向に沿って第２部分２３とは反対側の軸２０の先端部、即ち収容部５Ｃ側に向かって延在する円筒状の部分である。第１部分２２は、ケース５の第１貫通孔１５内に配置される。即ち、第１部分２２はケース５とボタン４の軸２０との間に配置されている。第１部分２２は、第２部分２３よりも径方向内側に位置している。第１部分２２は、径方向においてケース５と対向する第１規制部２６を有する。第１部分２２は、軸方向と交差する面であって、軸方向においてパッキン１２と対向する第１面２４を有している。軸案内部２８は、第１部分２２のうち第１貫通孔１５および第２貫通孔１７の少なくとも一方において軸２０と対向する部分である。即ち、軸案内部２８は、第１部分２２の径方向内側の部分である。本実施例では、第１部分２２が第１貫通孔１５内に配置されているので、軸案内部２８は第１貫通孔１５において軸２０が対向する部分にある。
【００３４】
コイルスプリング１０は、ボタン４の操作体１９と座金１１の基部２１との間に、軸２０の周囲を旋回するように配置されている。パッキン１２は、ケース５の第１貫通孔１５内において、座金１１の第１部分２２よりも収容部５Ｃ側におけるボタン４の軸２０の周囲に配置されている。換言すると、パッキン１２は、第１貫通孔１５においてケース５と軸２０との間に配置されている。
【００３５】
座金１１は、第２面２５でコイルスプリング１０を受けてケース５へ押さえつけられており、第１面２４でパッキン１２の脱落を防止している。また、第１部分２２が第１規制部２６と軸案内部２８としての機能を有し、第２部分２３が第２規制部２７としての機能を有しており、第１部分２２にて第１貫通孔１５を有するケース５を規制し、第２部分２３にて第２貫通孔１７を有する外装部材６を規制することで、ケース５と外装部材６との相対的な位置関係を規制している。
【００３６】
ボタン４を組み付ける際は、座金１１の第１部分２２と第２部分２３とで外装部材６とケース５との相対的な位置関係が規定され、座金１１の第１部分２２に設けられた軸案内部２８が軸２０を所定の位置に案内できる位置に留まっているため、軸案内部２８に軸２０を通すことによってボタン４をケース５や外装部材６と干渉することなく容易に組付けることができる。従って、本発明の構成によれば外装部材６の外観の自由度を高めつつ、ボタン４をケース５と外装部材６とに容易に組付けることが可能な携帯型電子機器が実現できる。
【００３７】
次に、変形例について、それぞれ図面を参照しながら説明する。なお、以下の変形例の説明においては、上述の実施形態に対して異なる点を説明し、上述の実施形態と同様の構成については同じ符号を付してその説明を省略する。
【００３８】
（変形例１）
先ず、座金の変形例１を、図５を参照しながら説明する。図５は、変形例１の座金を用いた場合の、ボタン構造部における断面図である。図５に示すように、変形例１に係る機器本体２ａは、ケース５と、外装部材６と、ボタン４と、コイルスプリング１０と、座金１１ａと、パッキン１２と、止め輪１３とを有している。
【００３９】
変形例１では、座金１１ａの形状が、以下の点において上述の実施例と異なっている。座金１１ａの第１部分２２ａは、図５に示すように、基部２１から軸方向に沿ってケース５の外側（外装部材６側）へ延在している。変形例１では、第１部分２２ａが第１貫通孔１５内と第２貫通孔１７内とに配置されているので、軸案内部２８は第１貫通孔１５および第２貫通孔１７において軸２０と対向する部分にある。このような構成によれば、軸案内部２８の軸方向における長さを長くでき、軸２０のより長い範囲を案内できるので、軸２０の座金１１ａへの組込性と位置の安定性とが向上する。
【００４０】
（変形例２）
座金の変形例２を、図６を参照しながら説明する。図６は、変形例２の座金を用いた場合の、ボタン構造部における断面図である。図６に示すように、変形例２に係る機器本体２ｂは、ケース５と、外装部材６と、ボタン４と、コイルスプリング１０と、座金１１ｂと、パッキン１２と、止め輪１３とを有している。
【００４１】
変形例２では、座金１１ｂの形状が以下の点において上述の変形例１と異なっている。座金１１ｂは、第２部分２３を有していない。基部２１は、外装部材６の第２貫通孔１７内に配置される第２規制部２７を有する。換言すると、変形例２の座金１１ｂでは、基部２１が第２部分２３を兼ねている。第２規制部２７は、基部２１の径方向外側で第２貫通孔１７において外装部材６と対向する部分にある。そして、第１部分２２ａが第１規制部２６と軸案内部２８としての機能を有し、基部２１が第２規制部２７としての機能を有しており、第１部分２２ａにて第１貫通孔１５を有するケース５を規制し、基部２１にて第２貫通孔１７を有する外装部材６を規制することで、ケース５と外装部材６との相対的な位置関係を規制している。なお、図６では第１部分２２ａは基部２１から軸方向に沿ってケース５の外側へ延在しているが、実施例の第１部分２２のようにケース５の外側へ延在していない構成としても良い。
【００４２】
（変形例３）
座金の変形例３を、図７を参照しながら説明する。図７は、変形例３の座金を用いた場合の、ボタン構造部における断面図である。図７に示すように、変形例３に係る機器本体２ｃは、ケース５ａと、外装部材６と、ボタン４と、コイルスプリング１０と、座金１１ｃと、パッキン１２と、止め輪１３とを有している。
【００４３】
変形例３では、ケース５ａの形状と座金１１ｃの形状とが以下の点において上述の実施例と異なっている。ケース５ａは、側面に設けられた溝３０を有している。溝３０は、ボタン４の操作体１９側から収容部５Ｃ側を見た平面視で、第１貫通孔１５の径方向外側に環状に設けられている。座金１１ｃは、基部２１と第１部分２２と第２部分２３とに加えて、第３部分２９を有している。第３部分２９は、基部２１における第１部分２２よりも径方向外側の位置から軸２０の先端部側に向かって軸方向に延在し、ケース５ａの溝３０内に配置される第１規制部２６ａを有する。第１規制部２６ａは、ケース５ａの溝３０内において、第３部分２９の径方向外側でケース５ａと対向する部分にある。なお、座金１１ｃでは、第１部分２２は軸案内部２８と第１面２４とを有している。座金１１ｃは、第１部分２２が軸案内部２８としての機能を有し、第２部分２３が第２規制部２７としての機能を有し、第３部分２９が第１規制部２６ａとしての機能を有しており、第３部分２９にて第１貫通孔１５と溝３０とを有するケース５ａを規制し、第２部分２３にて第２貫通孔１７を有する外装部材６とを規制することで、ケース５ａと外装部材６との相対的な位置関係を規制している。
【００４４】
（変形例４）
座金の変形例４を、図８を参照しながら説明する。図８は、変形例４の座金を用いた場合の、ボタン構造部における断面図である。図８に示すように、変形例４に係る機器本体２ｄは、ケース５ａと、外装部材６と、ボタン４と、コイルスプリング１０と、座金１１ｄと、パッキン１２と、止め輪１３とを有している。
【００４５】
変形例４では、座金１１ｄが以下の点において上述の変形例３と異なっている。座金１１ｄでは、第１部分２２ａが基部２１から軸方向に沿ってケース５の外側へ延在している。座金１１ｄは、第１部分２２ａが軸案内部２８としての機能を有し、第２部分２３が第２規制部２７としての機能を有し、第３部分２９が第１規制部２６ａとしての機能を有しており、第３部分２９にて第１貫通孔１５と溝３０とを有するケース５ａを規制し、第２部分２３にて第２貫通孔１７を有する外装部材６を規制することで、ケース５ａと外装部材６との相対的な位置関係を規制している。座金１１ｄの第１部分２２ａは、図８に示すように基部２１から軸方向に沿ってケース５の外側へ延在している。このような構成によれば、軸案内部２８の軸方向における長さを長くできるので、軸２０の座金１１ｄへの組込性と位置の安定性が向上する。
【００４６】
（変形例５）
座金の変形例５を、図９を参照しながら説明する。図９は、変形例５の座金を用いた場合の、ボタン構造部における断面図である。図９に示すように、変形例５に係る機器本体２ｅは、ケース５ａと、外装部材６と、ボタン４と、コイルスプリング１０と、座金１１ｅと、パッキン１２と、止め輪１３とを有している。
【００４７】
変形例５では、座金１１ｅが以下の点において上述の変形例７および変形例８と異なっている。座金１１ｅは、第１部分２２（または２２ａ）を有していない。基部２１は、第２面２５とは反対側にパッキン１２と対向する第１面２４を有し、軸２０が対向する部分に軸案内部２８を有している。換言すると、変形例５の座金１１ｅでは、基部２１が第１部分２２（または２２ａ）を兼ねている。
【００４８】
（変形例６）
座金の変形例６を、図１０を参照しながら説明する。図１０は、変形例６の座金を用いた場合の、ボタン構造部における断面図である。図１０に示すように、変形例６に係る機器本体２ｆは、ケース５ｂと、外装部材６と、ボタン４と、コイルスプリング１０と、座金１１ｆと、パッキン１２と、止め輪１３とを有している。
【００４９】
変形例６では、ケース５ｂの形状と座金１１ｆの形状とが以下の点において上述の実施例および変形例と異なっている。ケース５ｂは、側面に設けられた凹部３１を有している。凹部３１は、第１貫通孔１５に対して軸方向におけるボタン４の操作体１９側に設けられている。凹部３１は、ボタン４の操作体１９側から収容部５Ｃ側を見た平面視で、円形状で第１貫通孔１５よりも大径に設けられている。座金１１ｆは、基部２１ａのみを有し、第１部分２２（または２２ａ）および第２部分２３や第３部分２９を有していない。換言すると、変形例６の座金１１ｆでは、基部２１ａが、第１部分２２（または２２ａ）および第２部分２３や第３部分２９を兼ねている。即ち、基部２１ａが、第１面２４と第２面２５と第１規制部２６ｂと第２規制部２７と軸案内部２８とを有している。このような構成によれば、座金１１ｆの部品としての軸方向における向きの制約が無くなるので、組込性が向上する。
【符号の説明】
【００５０】
１…本発明の実施形態に係る携帯型電子機器の一例としてのリスト機器、２…機器本体、３ａ…第１のバンド、３ｂ…第２のバンド、４…ボタン、５，５ａ，５ｂ…ケース、５Ｃ…収容部、６…外装部材、７…リング、８…ガラスパッキン、９…ガラス、１０…コイルスプリング、１１，１１ａ，１１ａ，１１ｃ，１１ｄ，１１ｅ，１１ｆ…座金、１２…パッキン、１３…止め輪、１４…ねじ、１５…第１貫通孔、１６…下穴、１７…第２貫通孔、１８…カン、１９…操作体、２０…軸、２１，２１ａ…基部、２２，２２ａ…第１部分、２３…第２部分、２４…第１面、２５…第２面、２６，２６ａ，２６ｂ…第１規制部、２７…第２規制部、２８…軸案内部、２９…第３部分。
【図１】
2019120598.tif 000003
【図２】
2019120598.tif 000004
【図３】
2019120598.tif 000005
【図４】
2019120598.tif 000006
【図５】
2019120598.tif 000007
【図６】
2019120598.tif 000008
【図７】
2019120598.tif 000009
【図８】
2019120598.tif 000010
【図９】
2019120598.tif 000011
【図１０】
2019120598.tif 000012